(57)【特許請求の範囲】
【請求項１】
本体２上面に開閉可能且つ閉状態での係止を可能に蓋体３を設けるとともに、蓋体３を開方向へ付勢させる付勢手段４を備えてなる蓋の開閉機構であって、上記付勢手段４が、柔軟で弾力性に富む弾性板５の一端を本体２後部上面に連結するとともに、他端を蓋体後部下面に連結し、且つ、中間部を弾性変形状態で湾曲させて蓋体を開方向へ付勢させ、上記弾性板５が、本体２側端部から蓋体３側端部に至る複数のスリット21を設けてなることを特徴とする蓋の開閉機構。
【請求項２】
上記弾性板５が、一端部を凹凸係合手段を介して本体２後部上面に嵌着させるとともに、他端部を凹凸係合手段を介して蓋体３後部下面に嵌着させてそれぞれ連結してなる弾性板５である請求項１記載の蓋の開閉機構。
【発明の詳細な説明】
【０００１】
【発明の属する技術分野】
本発明は蓋の開閉機構に関する。
【０００２】
【従来の技術】
蓋の開閉機構として、例えば容器本体等の本体上面に開閉可能に蓋体を設けたものがあり、蓋体を閉状態で係止可能に構成するとともに、常時開方向へ付勢させて、蓋体の係止を解除させた際に自動的に開蓋する如く構成したものが知られている。従来のこの種の開閉機構では蓋体の軸着部分にトーションバネ等を装着して常時開方向へ蓋体を付勢することが行われている。
【０００３】
【発明が解決しようとする課題】
トーションバネ等は部材として細かく、その組付け操作が面倒である。また、一般に金属で形成しているため、合成樹脂製の容器体及び蓋体等からなる蓋の開閉機構に使用する場合には、昨今の分別処理を伴う廃棄の際に不都合である。
【０００４】
本発明は上記した点に鑑みなされたもので、極めて簡単な構造で蓋体の開方向への付勢を行えるとともに、金属を使用しなくて分別処理の必要もなく、また、組み立ても容易でしかも充分な開方向ヘの付勢力を発揮できる蓋の開閉機構を提案するものである。
【０００５】
【課題を解決するための手段】
第１の手段として、以下の通り構成した。即ち、本体２上面に開閉可能且つ閉状態での係止を可能に蓋体３を設けるとともに、蓋体３を開方向へ付勢させる付勢手段４を備えてなる蓋の開閉機構であって、上記付勢手段４が、柔軟で弾力性に富む弾性板５の一端を本体２後部上面に連結するとともに、他端を蓋体後部下面に連結し、且つ、中間部を弾性変形状態で湾曲させて蓋体を開方向へ付勢させた。
【０００６】
第２の手段として、以下の通り構成した。即ち、前記第１の手段に於いて、上記弾性板５が、本体２側端部から蓋体３側端部に至る複数のスリット21を設けた。
【０００７】
第３の手段として、以下の通り構成した。即ち、前記第２の手段に於いて、上記弾性板５が、一端部を凹凸係合手段を介して本体２後部上面に嵌着させるとともに、他端部を凹凸係合手段を介して蓋体３後部下面に嵌着させてそれぞれ連結してなる弾性板５である。
【０００８】
【発明の実施の形態】
以下、本発明の実施の形態を図面を参照して説明する。
【０００９】
図面に示す如く、本発明の蓋の開閉機構Ａは、本体２上を開閉可能に且つ閉状態での係止が可能に蓋体３を設けるとともに、蓋体３を開方向へ付勢させる付勢手段４を備えている。従って、蓋体３の係止を解除させれば、付勢手段４の作用で自動的に開蓋する如く構成したものである。本体２及び蓋体３は合成樹脂等により形成されたもので、上記した要件を備えていれば種々の形態を採ることができる。
【００１０】
蓋体３の閉状態での本体２への係止手段は種々の手段を採用することができ、図示例の如く、蓋体３から突設した嵌合筒を本体上の凹部に嵌合させることによる手段、或いは双方から突設した筒を嵌合させることによる手段、或いは、一方のフックを他方の係止突起に乗越え係合させることにより蓋体を係止する手段、その他従来から使用されている係止手段を採用することができる。その場合の係止解除の手段としても、使用者の指で蓋体を開くことにより係合部分を解除する方法や、押釦等を介して係合部分の解除を行う等公知手段を採用することができる。
【００１１】
本発明に於いて付勢手段４は、図面に示す如く、弾性板５の一端部を本体２後部上面に連結するとともに、他端部を蓋体３後部下面に連結し、且つ、中間部を弾性変形状態で湾曲させて蓋体３を開方向へ付勢させている。
【００１２】
弾性板５はエラストマー等の柔軟で弾力性に富む材質で形成された板状のもので、その連結手段としては種々採用できるが、図面に示す如く、一端部を凹凸係合手段を介して本体２後部上面に嵌着させるとともに、他端部を凹凸係合手段を介して蓋体３下面に嵌着してそれぞれ連結することができる。また、これに限らず、接着材による接着或いはこれらの併用等種々の手段を採ることができる。
【００１３】
上記凹凸係合手段としては、図示例の如き、一方から突設した係止突起を他方の嵌合孔或いは嵌合穴に嵌着固定する方法の他、突条相互の係合など、両者を押圧することにより凹凸部が係合して固定することのできる手段をいう。
【００１４】
以下、図示例について詳細に説明する。図示例に於いて本体２は、有底の箱状をなし、周壁６上端縁より延設した頂壁７に平面視四角形状をなす蓋体嵌合用の第１凹部８を凹設し、また、第１凹部８内には蓋体３の後述する嵌合筒を密嵌させるための平面視楕円形状をなす第２凹部９を凹設しており、該第２凹部内に取出口10を穿設している。更に、第１凹部８は後端中央部に後端縁に延びる矩形状の突出部分を備え、その突出部分に平面視横長矩形状の弾性板取付用の第３凹部11を凹設している。
【００１５】
蓋体３は、第１凹部８内に嵌合した周壁12の上端縁より頂壁13を延設するとともに、周壁12と所定間隔をあけた内方に嵌合筒14を垂設し、該嵌合筒を第２凹部９内周面に密嵌させて、弾性板５の開方向付勢力に抗して閉蓋状態を維持できる如く構成している。また、周壁12後部上端より後方へ弾性板取付用の取付板15を延設し、その両側縁より側板16をそれぞれ垂設している。
【００１６】
弾性板５は、第３凹部11内先端部に一端縁部を嵌合させるとともに、下面両側より突設した係止突起17を第３凹部11内底面に凹設した嵌合穴18に嵌合させて連結しており、また、他端に穿設した嵌合孔19に取付板15より垂設した係合突起20を嵌着して他端を蓋体３に連結している。また、図示例では、弾性板５の本体２側端部から蓋体端部側に至る複数のスリット21を穿設している。
【００１７】
上記の如き蓋の開閉機構は、図２の状態から嵌合筒14と第２凹部９との係合を解除すると、弾性板５の弾性復元力により蓋体３が開く。蓋体３閉じる際はその頂壁13を押して嵌合筒14を第２凹部９に係合させることにより行える。
【００１８】
【発明の効果】
以上説明した如く本発明の蓋の開閉機構は、既述構成としたことにより、極めて簡単な構造で蓋の開方向への付勢力を充分発揮することができ、しかも、本体２及び蓋体３が合成樹脂製の場合には、従来品の如き金属製のバネ等を使用しないで済むため、合成樹脂と金属との分別処理を考える必要もない。
【００１９】
また、第２の手段の蓋の開閉機構は、本体２側端部から蓋体３側端部に至る複数のスリット21を設けた弾性板５を使用しているため、応力の集中を防止して弾性板５の耐久性を高め、ひいては開閉機構の耐久性を高めるものである。
【００２０】
また、第３の手段の蓋の開閉機構は、一端部を凹凸係合手段を介して本体２後部上面に嵌着させるとともに、他端部を凹凸係合手段を介して蓋体３後部下面に嵌着させてそれぞれ連結してなる弾性板５を使用しているため、本体２及び蓋体３への弾性板５の取付けが極めて容易となり、その結果、全体の組み付け操作が極めて容易となる利点を兼ね備えている。
【図面の簡単な説明】
【図１】本発明の一実施形態を示す要部斜視図である。
【図２】同実施形態の要部縦断面図である。
【図３】同実施形態の開蓋状態の要部縦断面図である。
【図４】同実施形態に於ける弾性板を示す斜視図である。
【図５】同実施形態に於ける折り曲げた状態の弾性板を示す斜視図である。
【符号の説明】
２…本体，３…蓋体，４…付勢手段，５…弾性材，21…スリット
【図１】
0004338007.tif 000002
【図２】
0004338007.tif 000003
【図３】
0004338007.tif 000004
【図４】
0004338007.tif 000005
【図５】
0004338007.tif 000006